(57)【要約】【課題】製造コストの低廉化を実現可能であるとともに、確実に美観を奏し得る洋風水洗式便器を提供する。【解決手段】洋風便器本体１と、この洋風便器本体１の後部に設けられ、洗浄水により洋風便器本体１を洗浄可能な便器洗浄機構２ｅとを備えている。便器洗浄機構２ｅは上下分割可能な樹脂製のアッパーカバー２ｈ及びアンダーカバー２ｉにより隠蔽されている。【選択図】        図１
2006057453.tif 000002
【特許請求の範囲】
【請求項１】
洋風便器本体と、該洋風便器本体の後部に設けられ、洗浄水により該洋風便器本体を洗浄可能な便器洗浄機構と、該洋風便器本体の後部に設けられ、人体の局部を洗浄可能な局部洗浄機構とを備えた洋風水洗式便器において、
前記便器洗浄機構及び前記局部洗浄機構は、前記洋風便器本体のリム上面と整合する分割面で上下分割可能な樹脂製のアッパーカバー及びアンダーカバーにより隠蔽され、
該便器洗浄機構は、外部より洗浄水を供給する水道管に直結され、バルブの開閉により洗浄水を吐出可能なものであり、
該便器洗浄機構は一端が水道管と接続されたフレキシブルホースの他端に接続され、該アンダーカバーに該フレキシブルホースの他端が位置し、
該アンダーカバーは該フレキシブルホースの屈曲を許容するガイドをもつことを特徴とする洋風水洗式便器。
【請求項２】
便器洗浄機構及び局部洗浄機構は、リアベースプレートと、該リアベースプレートに対して上昇可能なフロントベースプレートとを有し、アンダーカバーは該リアベースプレートに固定され、アッパーカバーは暖房便座及び便蓋とともに洋風便器本体の鉢面後部を露出するように上昇可能であることを特徴とする請求項１記載の洋風水洗式便器。
【発明の詳細な説明】
【技術分野】
【０００１】
本発明は洋風水洗式便器に関する。
【背景技術】
【０００２】
従来、陶磁器製の洋風便器本体と、この洋風便器本体の後部に載置され、水道管から供給された洗浄水を一旦貯留する陶磁器製のロータンク等の便器洗浄機構とを備えた洋風水洗式便器が知られている。便器洗浄機構はそのロータンクに貯留した洗浄水により洋風便器本体を洗浄可能である。
【発明の開示】
【発明が解決しようとする課題】
【０００３】
しかし、上記従来の洋風水洗式便器では、便器洗浄機構の大部分を占めるロータンクが剥き出しになっている。このため、優れた美観を呈するように陶磁器製のロータンクを製造しなければならず、製造が面倒であることから、製造コストの低廉化に限界があった。
【０００４】
この点、ロータンク等の便器洗浄機構を単に樹脂製のカバーで隠蔽することも考えられる。こうであれば、カバーの分の製造コストは嵩むものの、カバー内の便器洗浄機構の美観を考慮する必要がなくなることから、便器洗浄機構の製造が容易となり、製造コストの低廉化を実現可能である。
【０００５】
しかしながら、単に樹脂製のカバーで便器洗浄機構を隠蔽するとすると、便器洗浄機構の点検等のためにそのカバーを開けたい場合、そのカバーが左右に分割されるものであるならば、その分割線が美観を損ねてしまう。
【０００６】
本発明は、上記従来の実情に鑑みてなされたものであって、製造コストの低廉化を実現可能であるとともに、確実に美観を奏し得る洋風水洗式便器を提供することを解決すべき課題としている。
【課題を解決するための手段】
【０００７】
本発明の洋風水洗式便器は、洋風便器本体と、該洋風便器本体の後部に設けられ、洗浄水により該洋風便器本体を洗浄可能な便器洗浄機構と、該洋風便器本体の後部に設けられ、人体の局部を洗浄可能な局部洗浄機構とを備えた洋風水洗式便器において、
【０００８】
前記便器洗浄機構及び前記局部洗浄機構は、前記洋風便器本体のリム上面と整合する分割面で上下分割可能な樹脂製のアッパーカバー及びアンダーカバーにより隠蔽され、
該便器洗浄機構は、外部より洗浄水を供給する水道管に直結され、バルブの開閉により洗浄水を吐出可能なものであり、
該便器洗浄機構は一端が水道管と接続されたフレキシブルホースの他端に接続され、該アンダーカバーに該フレキシブルホースの他端が位置し、
該アンダーカバーは該フレキシブルホースの屈曲を許容するガイドをもつことを特徴とする。
【０００９】
本発明の洋風水洗式便器では、便器洗浄機構を樹脂製のアッパーカバー及びアンダーカバーで隠蔽するため、アッパーカバー及びアンダーカバーの分の製造コストは嵩むものの、アッパーカバー及びアンダーカバー内の便器洗浄機構の美観を考慮する必要がなくなることから、便器洗浄機構の製造が容易となり、製造コストの低廉化を実現可能である。
【００１０】
また、この洋風水洗式便器では、アッパーカバー及びアンダーカバーを上下に分割することにより、便器洗浄機構の点検等を行うことができる。この場合、アッパーカバーとアンダーカバーとの分割線は水平又は略水平に延在することとなり、分割線が美観を損ね難い。
【００１１】
したがって、本発明の洋風水洗式便器では、製造コストの低廉化を実現可能であるとともに、確実に美観を奏することができる。
【００１２】
洋風便器本体の後部に人体の局部を洗浄可能な局部洗浄機構が備えられ、その局部洗浄機構もアッパーカバー及びアンダーカバーにより隠蔽されている。こうであれば、局部洗浄機構の美観を考慮する必要もなくなることから、局部洗浄機構の製造が容易となり、製造コストの低廉化を実現可能である。また、アッパーカバー及びアンダーカバーを上下に分割することにより、局部洗浄機構の点検等を行うこともできる。
【００１３】
アッパーカバーとアンダーカバーとの分割線は洋風便器本体のリム上面と整合している。こうであれば、水平又は略水平に延在する分割線が美観を呈する。
【００１４】
便器洗浄機構として、外部より洗浄水を供給する水道管に直結され、バルブの開閉により洗浄水を吐出可能なものを採用している。かかる便器洗浄機構は、従来のロータンクを有さないことから、小型化している。このため、便器洗浄機構をアッパーカバー及びアンダーカバーにより隠蔽し易く、アッパーカバー及びアンダーカバーも小型化して製造コストのより一層の低廉化を実現可能である。
【００１５】
便器洗浄機構として、一端が水道管と接続されたフレキシブルホースの他端に接続されるものを採用する場合、アンダーカバーにそのフレキシブルホースの他端が位置する。こうであれば、洋風水洗式便器の左右どちら側に水道管が設けられている場合であっても、水道管と便器洗浄機構とを容易に直結することができる。そして、かかる効果は左側給水用と右側給水用とで洋風水洗式便器を区別する必要をなくす。このため、製造販売時における品目の削減が可能となり、製造コスト及び管理コストの低減を実現する。また、これにより家屋の設計の自由度が増すとともに、施工者の選択が容易になる。また、フレキシブルホースはある程度自在に屈曲可能であるため、施工も容易となる。
【００１６】
そのようなアンダーカバーはフレキシブルホースの屈曲を許容するガイドをもつ。フレキシブルホースはある程度の曲率を有して屈曲可能であるため、アンダーカバーにこのようなガイドがあれば、アンダーカバーとフレキシブルホースとの間にそのような無駄な間隙を生じ難く又は生じず、美観が向上する。
【発明を実施するための最良の形態】
【００１７】
以下、本発明を具体化した実施形態を図面を参照しつつ説明する。
【００１８】
実施形態の洋風水洗式便器は、図１に示すように、陶磁器製の洋風便器本体１と、この洋風便器本体１の後部に設けられた便器洗浄装置及び局部洗浄装置としてのシャワートイレ２とを備えている。
【００１９】
シャワートイレ２は、図２にも示すように、フロントベースプレート２ａと、このフロントベースプレート２ａ上に固定されたノズル等の局部洗浄機構２ｂと、リアベースプレート２ｃと、このリアベースプレート２ｃ上に固定された局部洗浄機構２ｂの残部を構成する温水タンク２ｄと、リアベースプレート２ｃ上に固定されたバルブ等の便器洗浄機構２ｅと、リアベースプレート２ｃに固定され、温水タンク２ｄ及び便器洗浄機構２ｅに洗浄水を供給可能な給水機構２ｆと、リアベースプレート２ｃ上に固定され、フロントベースプレート２ａをリアベースプレート２ｃに対して昇降可能に設ける図示しない昇降機構と、リアベースプレート２ｃの水平方向の全周囲に立設され、温水タンク２ｄ、便器洗浄機構２ｅ及び昇降機構を囲包する隠蔽部材２ｇと、これら局部洗浄機構２ｂ等を内装するアッパーカバー２ｈ及びアンダーカバー２ｉと、アッパーカバー２ｈに揺動可能に設けられた暖房便座２ｊと、アッパーカバー２ｈに揺動可能に設けられた便蓋２ｋとを有している。
【００２０】
ここで、アッパーカバー２ｈ及びアンダーカバー２ｉは樹脂製であり、アッパーカバー２ｈとアンダーカバー２ｉとは、図１にも示すように、洋風便器本体１のリム上面と等しい水平面内の分割線ＰＬにより上下分割可能になっている。
【００２１】
アッパーカバー２ｈは昇降機構により暖房便座２ｊ及び便蓋２ｋとともに洋風便器本体１の鉢面後部を露出するように上昇可能になっている。アッパーカバー２ｈは、下降時にはフロントベースプレート２ａ、ノズル等の局部洗浄機構２ｂ、リアベースプレート２ｃ、温水タンク２ｄの上部、便器洗浄機構２ｅの上部、昇降機構及び隠蔽部材２ｇを内装しており、上昇時にはこれらのうちリアベースプレート２ｃ、温水タンク２ｄの上部、便器洗浄機構２ｅ、昇降機構及び隠蔽部材２ｇを剥き出しにする。
【００２２】
他方、アンダーカバー２ｉはリアベースプレート２ｃに固定されており、内部には温水タンク２ｄの下部、便器洗浄機構２ｅの下部及び給水機構２ｆを収納している。
【００２３】
給水機構２ｆは、図２に示すように、外部より洗浄水を供給する図示しない水道管にフレキシブルホース３により一端が接続され、他端が便器洗浄機構２ｅに接続された主管２１と、主管２１から分岐された枝管２２と、枝管２２が下方に接続され、同じく下方が温水タンク２ｄの底部に接続された給水装置２３とからなる。給水装置２３は温水タンク２ｄとの連通路に電磁弁と流量調整弁とを有するものである。この給水装置２３の下端にはキャップ２３ａが螺合されており、キャップ２３ａを外すことにより内部の図示しないストレーナを取り出すことが可能になっている。
【００２４】
アンダーカバー２ｉの幅方向の略中央上方には、図３〜５にも示すように、底面から上方に凹んだ凹部４が形成されている。凹部４の上端から給水機構２ｆの主管２１の一端が下方に向かって突出され、この一端にクリップ６によってフレキシブルホース３が接続されている。また、凹部４の両側面はこうして接続されたフレキシブルホース３の屈曲を許容すべく円弧状に形成されたガイド面４ａとされている。
【００２５】
また、アンダーカバー２ｉの一方側の底面からは給水装置２３のキャップ２３ａが下方に向かって突出されており、その底面にはキャップ２３ａに隣接し、キャップ２３ａの突出長さを超えて下方に突出するリブ５が形成されている。
【００２６】
この洋風水洗式便器では、シャワートイレ２の局部洗浄機構２ｂにより、暖房便座２ｊを介して着座した人の局部を洗浄可能である。また、この洋風水洗式便器では、シャワートイレ２の便器洗浄機構２ｅにより、洋風便器本体１を洗浄可能である。
【００２７】
そして、この洋風水洗式便器では、局部洗浄機構２ｂ及び便器洗浄機構２ｅを樹脂製のアッパーカバー２ｈ及びアンダーカバー２ｉで隠蔽しているため、アッパーカバー２ｈ及びアンダーカバー２ｉの分の製造コストは嵩むものの、アッパーカバー２ｈ及びアンダーカバー２ｉ内の局部洗浄機構２ｂ及び便器洗浄機構２ｅの美観を考慮する必要がなくなることから、局部洗浄機構２ｂ及び便器洗浄機構２ｅの製造が容易となり、製造コストの低廉化を実現可能である。特に、この洋風水洗式便器では、便器洗浄機構２ｅがフレキシブルホース３を介して水道管に直結され、バルブの開閉により洗浄水を吐出可能な小型化したものであるため、便器洗浄機構２ｅをアッパーカバー２ｈ及びアンダーカバー２ｉにより隠蔽し易く、小型のアッパーカバー２ｈ及びアンダーカバー２ｉにより製造コストのより一層の低廉化を実現している。
【００２８】
また、この洋風水洗式便器では、アッパーカバー２ｈ及びアンダーカバー２ｉを上下に分割することにより、局部洗浄機構２ｂ及び便器洗浄機構２ｅの点検等を行うことができる。この場合、アッパーカバー２ｈとアンダーカバー２ｉとの分割線ＰＬは水平に延在しており、優れた美観を呈している。
【００２９】
したがって、この洋風水洗式便器では、製造コストの低廉化を実現可能であるとともに、確実に美観を奏することができる。
【００３０】
また、この洋風水洗式便器では、アンダーカバー２ｉの幅方向の略中央上方にフレキシブルホース３の他端が位置しているため、洋風水洗式便器の左右どちら側に水道管が設けられている場合であっても、水道管と便器洗浄機構２ｅとを容易に直結することができる。このため、左側給水用と右側給水用とで洋風水洗式便器を区別する必要がない。このため、製造販売時における品目の削減が可能となり、製造コスト及び管理コストの低減を実現する。また、これにより家屋の設計の自由度が増すとともに、施工者の選択が容易になる。また、フレキシブルホース３がある程度自在に屈曲可能であるため、施工も容易となる。
【００３１】
さらに、この洋風水洗式便器では、アンダーカバー２ｉがフレキシブルホース３の屈曲を許容するガイド４ａをもつため、アンダーカバー２ｉとフレキシブルホース３との間に無駄な間隙を生じず、美観が向上している。
【図面の簡単な説明】
【００３２】
【図１】実施形態の洋風水洗式便器の背後からの斜視図である。
【図２】実施形態の洋風水洗式便器の背後からの拡大斜視図である。
【図３】実施形態の洋風水洗式便器に係り、アンダーカバーの背面図である。
【図４】実施形態の洋風水洗式便器に係り、アンダーカバーの底面図である。
【図５】実施形態の洋風水洗式便器に係り、アンダーカバーの側面図である。
【符号の説明】
【００３３】
１…洋風便器本体
２…シャワートイレ
２ｅ…便器洗浄機構
２ｈ…アッパーカバー
２ｉ…アンダーカバー
２ｂ…局部洗浄機構
ＰＬ…分割線
３…フレキシブルホース
４ａ…ガイド
【図１】
2006057453.tif 000003
【図２】
2006057453.tif 000004
【図３】
2006057453.tif 000005
【図４】
2006057453.tif 000006
【図５】
2006057453.tif 000007